(57)【要約】【課題】  カメラや双眼鏡のストラップを掛けて携行しても、首の横も圧迫せず、また胸高の位置が直接首に掛けた時とあまり変わらないネックガードを提案する。【解決手段】  ストラップ２のついたカメラ３を携行者がネックガード１を用いて間接的に首に掛けており、ネックガード１のストラップガイド部４は首の後部を半周程度覆っていて外周に沿ってストラップ２が掛かっており、ストラップガイド部４の上部左右には突起部分５を設け、ストラップガイド部４の下部６は肩の形状に沿って前方向に迫り出し、少なくともストラップガイド部４はストラップ２から受ける荷重によって容易に変形しない材質で作られている。【選択図】図１
2017086840.tif 000002
【特許請求の範囲】
【請求項１】
首にストラップで吊り下げて携行する機器の前記ストラップを外周に沿って掛けて使用し、前記ストラップを掛けた時の接触部分の長さが最小で約３ｃｍであり、最大で首後部半周を取り巻く長さをしているストラップガイド部をもち、前記ストラップガイド部が前記ストラップにかかる前記携行する機器の重量により容易に変形しない材料で製作されているネックガード。
【請求項２】
前記請求項１に記載される前記ネックガードは、前記ストラップが前記ストラップガイド部の上方へ抜けにくくするための手段を有することを特徴とする。
【請求項３】
前記請求項１乃至前記請求項２に記載される前記ネックガードは、下側の形状に関して前記ストラップが携行者の身体に触れにくくなっていることを特徴とする。
【請求項４】
前記請求項１乃至前記請求項３に記載される前記ネックガードは、携行者の背中側で衣服または背中で背負う形のリュックサック型カバンへの取り付け手段を有することを特徴とする。
【請求項５】
前記請求項４に記載される前記ネックガードは、前記リュックサック型カバンの両側の肩ベルト部分を跨ぐ形で取り付けて使用するかまたは上部にある把手部分に取り付けて使用するための取り付け手段を有することを特徴とする。
【請求項６】
前記請求項１乃至前記請求項５に記載される前記ネックガードが既に形成されているか付属品として取り付け可能とした前記衣類または前記リュックサック型のカバン。
【発明の詳細な説明】
【技術分野】
【０００１】  本発明は、ストラップで首に掛けて携行する機器の荷重による圧迫感を緩和するネックガードに関するものである。
【背景技術】
【０００２】  カメラや双眼鏡等のストラップで首に吊り下げる機器を長時間携行すると荷重により首が圧迫されることで疲労や痛みを感じる。この疲労や痛みを緩和する技術としては、例えば従来から知られているものに特開２００１−０７８８３２号公報（特許文献１）に開示されているものがある。この技術はリュックサックに取り付けたテープにＪ字型フックが設けられていて、このＪ字型フックにストラップを掛けることによりストラップの荷重がリュックサックに伝わることになり、首への荷重が掛からない状態にしたものである。また実登３０６９８２４号公報（特許文献２）に開示されている技術は、リュックサックの左右の肩ベルトにフックを設けて、ここにストラップを引っ掛けることにより首への荷重が掛からない状態にしたものである。
【先行技術文献】
【０００３】
【特許文献１】特開２００１−０７８８３２号公報
【特許文献２】実登３０６９８２４号公報
【発明の概要】
【発明が解決しようとする課題】
【０００４】  しかしながら、前述の２つの従来技術には以下に述べるように二つの問題があった。一つ目の問題は特許文献１の技術において、Ｊ字型フックを首後ろの一ケ所のみに設置した場合であるが、このときストラップは首幅よりも細く変形しようとするため左右の首横を圧迫することになる。この圧迫の荷重は本来の機器の荷重よりも小さいものの、新たな不快感が生じることになる。二つ目の問題は特許文献１の技術においてＪ字型フックを左右二ヶ所に設けた場合と、特許文献２の技術の場合である。首から離れたフックを二ヶ所引っ掛けることは、首に直接掛けているときのストラップの長さに対して極めて大きな長さを必要とする。したがって普段直接首に掛けている使い慣れたカメラや双眼鏡の胸での位置に対してこれらのフックに引っ掛けると上方に持ち上がり過ぎて使いづらくなる。
【課題を解決するための手段】
【０００５】  本発明は、前述した事情に鑑み、ストラップを掛けた時の接触部分の長さが最小で約３ｃｍであり、最大で首後部半周を取り巻く長さをしているストラップガイド部をもち、ストラップガイド部がストラップにかかる携行する機器の重量により容易に変形しない材料で製作されているネックガードにおいて、その外周（ストラップガイド部）に沿ってストラップを掛けて使用する提案をしている（請求項１）。ここでストラップガイド部の長さが約３ｃｍ以下になると従来技術のフックでストラップを引っ掛ける状態と同様となるためストラップが左右の首横を圧迫することになり、逆に首後部半周を超えることは機能として意味がなくなる、すなわちストラップと接触しなくなると同時に着脱に際してかえって邪魔となる。またストラップガイド部が首の周囲に配置されることでストラップを首に直接掛けたときの長さとストラップガイド部の外周に掛けたときとの長さの違いが小さくなるためカメラや双眼鏡の携行者の胸での位置の変化も少なくなる。また布等の可撓性の材質ではなく硬質ウレタンなどの携行する機器の重量により容易に変形しない素材で製作することでストラップからの重量を首や肩等に分散させることができる。【０００６】  また、掛けているストラップがストラップガイド部の上方へ抜けにくくするための手段を有することはストラップを安定して固定出来るため実用的で望ましい（請求項２）。【０００７】  また、ネックガードの下側の形状に関して前記ストラップが携行者の身体に触れにくくなっていることでストラップガイド部より下側でストラップが携行者に触れないように出来るため望ましい（請求項３）。【０００８】  また本達明のネックガードを単独で使用するだけでなく携行者の背中側で衣服に取り付けて使用することで安定して使用可能となるので望ましく、さらにリュックサック型の背中に背負う形のカバンへ取り付けて使用することで安定して使用可能となるだけでなく、ストラップで携行する機器の重量とリュックサック型のカバンの重量とがバランスがとれるようなるためさらに望ましい（請求項４）。【０００９】  また、取り付ける方法としてはリュックサック型カバンの両側の肩ベルト部分を跨ぐ形で取り付けるかまたは上部にある把手部分に取り付けて使用することが望ましい（請求項５）。これはリュックサック型のカバンにおいて首に近い部分であり、略存在する部分であるからである。しかしながら既製の衣類やリュックに取り付ける場合、取り付ける部分の寸法が様々であるため、取り付けるための具体的な手段であるクリップや面ファスナーを位置調整応可能な構造にする必要があるが、どうしても取り付け出来ない場合や、そうような構造にすると大型化してしまうなど欠点となってしまう場合が出てくる。そのときは、ネックガードが既に一部として形成されているか付属品として取り付け可能とした衣類やリュック型のカバンとするのが望ましい（請求項６）。
【発明の効果】
【００１０】    本発明のネックガードによれば、ストラップを掛けた時の接触部分の長さが最小で約３ｃｍであり、最大で首後部半周を取り巻く長さをしているストラップガイド部をもち、ストラップガイド部がストラップにかかる携行する機器の重量により容易に変形しない材質で製作されているネックガードを提案し、その外周（ストラップガイド部）に沿ってストラップを掛けることによって、ストラップが左右の首横を圧迫することを無くすことが出来、ストラップを首に直接掛けたときの長さとストラップガイド部の外周に掛けたときとの長さの違いが最小になるためカメラや双眼鏡の胸での位置の変化も小さくなるという効果を奏する。
【図面の簡単な説明】
【００１１】
【図１】本発明による第１の実施例の構成を示した図面（正面斜視図）である。
【図２】本発明による第２の実施例の構成を示した図面（正面斜視図）である。
【図３】本発明による第３の実施例の構成を示した図面（背面斜視図）である。
【図４】本発明による第４の実施例の構成を示した図面（背面斜視図）である。
【図５】本発明による第５の実施例の構成を示した図面（背面斜視図）である。
【図６】本発明による第６の実施例の構成を示した図面（背面斜視図）である。
【発明を実施するための形態】
【００１２】  以下、具体的な実施例を用いて本発明を説明する。
【実施例１】
【００１３】  本発明のネックガード１の第１の実施例を図１に示す。ネックガード１を用いてストラップ２のついたカメラ３を間接的に首に掛けている状態を示している。ストラップガイド部４は首の後部を半周程度覆っていて外周に沿ってストラップ２が掛かっている。ストラップガイド部４の上部の左右にはストラップ２の不用意な上抜けを防止するために突起部分５を設けている。突起部分５が後ろではなく首横にあることによってストラップ２が掛かっているかどうか手で触って確認するのが容易になる利点はあるが、左右に限定するものではない。また、ストラップガイド部４の下部６は肩の形状に沿って前方向に迫り出しストラップ２が直接身体に接触しない形状としているが、ストラップ２が直接身体に接触しないのであれば形状や方法を図の形に限定するものではない。これらの主要部分のうち少なくともストラップガイド部４は可撓性の材質ではなくストラップ２から受ける荷重によって容易に変形しない材質で作られているため、その荷重を首や肩とネックガード１との接触部分全体に分散することで圧迫感を緩和することが出来る。
【実施例２】
【００１４】  本発明のネックガード１の第２の実施例を図２に示す。第１の実施例におけるストラップガイド部４の上部に設けた突起部分５の代わりにホック７等で解放可能な環状部８を設けてストラップ２の不用意な上抜けを完全に防止している。ホック７の作用はボタン（図示せず）や面ファスナー（図示せず）でもよく、方式を限定するものではない。また、ストラップ２を付けたり外したりするときにはホック７の開閉が必要となるが、第１の実施例と第２の実施例で優劣はなく用途によって選択するのが良く、アウトドア等で携行者が様々な姿勢をとるような場合には第２の実施例による製品がより適している。
【実施例３】
【００１５】    本発明のネックガード１の第３の実施例を図３に示す。第１の実施例におけるネックガード１をカメラマンヴェスト９の襟にクリップ１０で固定している。ただし、本実施例は衣類への取り付けを説明するものでカメラマンヴェストに限定するものではない。クリップ１０はサスペンダー等にもちられるものであるが、クリップ１０での取り付けに方法を限定するものではない。衣類に固定することによって安定して使用することが可能となり、ストラップ（図示せず）からの荷重の分散もより効果的にできる。
【実施例４】
【００１６】  本発明のネックガード１の第４の実施例を図４に示す。第１の実施例におけるネックガード１をリュックサック１１の左右肩ベルト１２の根元部分へクリップ１０で固定している。リュックサック１１は背負う形のカバンを代表させたものでこれのみに限定するものではなく、クリップ１０も同様に固定するものを代表させたものでこれのみに限定するものではない。クリップ１０を挟む場所を変えることで首に対するネックガード１の位置を調整することが可能である。リュックサック１１に固定することによって安定して使用することが可能となると同時にカメラ３（図示しない）の重量とリュックサック１１の重量がバランスすることでより荷重による圧迫感を減ずることが可能となる。
【実施例５】
【００１７】  本発明のネックガード１の第５の実施例を図５に示す。第１の実施例におけるネックガード１をリュックサック１１の左右肩ベルト１２の根元部分へ面ファスナー１３で固定している。肩ベルト１２側のファスナー部分を大きくとることで位置調整が可能である。
【実施例６】
【００１８】  本発明のネックガード１の第６の実施例を図６に示す。第１の実施例におけるネックガード１をリュックサック１１の把手部分１４へ面ファスナー１３で固定している。ファスナー部分を大きくとることで位置調整が可能である。本実施例でも固定できるものであれば、ホック（図示せず）やボタン（図示せず）やカラビナ（図示せず）でもよく、面ファスナー１３に限定するものではない。
【符号の説明】
【００１９】１  ネックガード
２  ストラップ
３  カメラ
４  ストラップガイド部
５  突起部分
６  ストラップガイド部下部
７  ホック
８  環状部
９  カメラマンヴェスト
１０  クリップ
１１  リュックサック
１２  肩ベルト
１３  面ファスナー
１４  把手部分
【図１】
2017086840.tif 000003
【図２】
2017086840.tif 000004
【図３】
2017086840.tif 000005
【図４】
2017086840.tif 000006
【図５】
2017086840.tif 000007
【図６】
2017086840.tif 000008